(57)【特許請求の範囲】
【請求項１】
継手１と、継手の両側に嵌合させたシート止め材２，２とからなり、シート止め材はシート止め溝３と結露受け部４とを有し、継手は本体１０と、本体１０の上側に設けたシート止め溝用の第１の差込溝５と、同じく結露受け部用の第２の差込溝６と、第１，第２の差込溝５，６の途中に下方に向けて設けた集水口７と、集水口に接続した排水ノズル８とを備えているビニールハウスにおける結露回収装置において、本体１０の両側と前側とに互いに連通する左右一対の樋溝９ａ，９ｂと前側の樋溝９ｃとを設け、両側の樋溝にそれぞれ第１，第２の差込溝５，６を連通させると共に前側の樋溝に集水口７を連通させたことを特徴とするビニールハウスにおける結露回収装置。
【請求項２】
左右一対の樋溝９ａ，９ｂと前側の樋溝９ｃとは本体１０の両側と前側とに一体に連設した断面Ｌ字状のフレーム１１，１２，１３とで構成され、両側のフレーム１１，１２の上端は第１，第２の差込溝５，６の底面５ａ，６ａより低く成形されている請求項１のビニールハウスにおける結露回収装置。
【請求項３】
前側のフレーム１３に前側の樋溝９ｃに連通する排水ノズル８を水平方向に向けて設け、本体１０の後側上部に集水口７に開口する孔１４を設けている請求項１又は２のビニールハウスにおける結露回収装置。
【請求項４】
本体１０の上面には第１，第２の差込溝５，６を規制するガイドフレーム１５，１６を長手方向に沿って起立し、シート止め材２，２にはガイドフレーム１５，１６に嵌合する溝フレーム１７，１７を形成し、上記ガイドフレーム１５，１６には集水口７に対応する位置にストッパ２７を起立させ、このストッパ２７で両側から差込んだシート止め材２，２の嵌合ストロークを規制させている請求項１，２又は３のビニールハウスにおける結露回収装置。
【請求項５】
排水ノズル８の外周に円周方向に沿うリブ１８を複数形成し、ノズルに差込むホース２０を環状溝１９を連続して設けた硬質材で成形し、環状溝１９をリブ１８に嵌合することによりワンタッチでホース２０をノズル８に連結した請求項１，２，３又は４ののビニールハウスにおける結露回収装置。
【発明の詳細な説明】
【発明が属する技術分野】
本発明は、アーチパイプ等の骨組上に展張した透明又は半透明な合成樹脂シートの内面に付着した結露水又は破断個所等から侵入した雨水等を回収するビニールハウスにおける結露回収装置に関する。
【０００１】
【従来の技術】
一般にアーチパイプ等の骨組上に透明なビニールシートを展張した温室たるビニールハウスではハウス内の室温や湿度がハウス外の大気より高く、又作物に水を与えてこの水が蒸発することから、ビニールシートの室内側内面に多数の結露が付着する。この結露は放置しておくとビニールシートの内面を流下してある重みになると土壌上に落下し、室内で作業する作業者が不快になるばかりでなく、作物の根腐れ、病気を起し、植物の育成に多大な悪影響を及ぼす。
【０００２】
そこで、この不具合を解消するため、例えば実公平２−１２８６３号に開示されたような結露回収装置が開発され、ビニールハウス業界に多くの貢献をしている。
【０００３】
このビニールハウスの結露回収装置は、例えば図９に示す構造を備えているものである。即ち、この結露回収装置は、継手５０と、継手５０の左右両側に嵌合させるシート止め材２，２とからなるものである。
【０００４】
この場合、シート止め材２は長手方向に沿う蟻溝状のシート止め溝３と、板状の結露受け部４とを有し、中間には上方に向けて屈曲させながら起立する溝フレーム７が形成されている。他方、継手５０は、本体５１と、本体５１の上面側に設けたシート止め溝用の第１の差込溝５５と、同じく結露受け部用の第２の差込溝５６と、これらの第１，第２の差込溝５５，５６を規制するガイドフレーム５２，５３と、第１，第２の差込溝５５，５６の途中に前後方向に横断し且つ下方に向けて設けた溝状の集水口５７と、本体５１の下面に下方に向けて垂設されて上記集水口に接続した排水ノズル５８とを備えている。
【０００５】
これにより、継手５０の両側からシート止め材２を嵌合させ、これらのシート止め材２と継手５０はアーチ状パイプ上に結合され、次いでシート止め溝３には他の弾性な係止線条を介してビニールシートを定着し、これによりビニールシートがアーチ状パイプ上に展張される。このようにしたビニールハウスでは使用中にビニールシートの室内側内面に結露が付着してもこの結露がビニールシートの内面を流下し結露受け溝４に当ってここに集合し、次いでこの結露受け溝４を介して集水口５７内に流出し、排水ノズル５８とこれに連結したホースよりハウス外部又はハウス上の樋に回収される。
【０００６】
【発明が解決しようとする課題】
上記従来の結露回収装置では、機能上特に欠陥がある分けではないが、次のような不具合の改善が望まれている。
【０００７】
第１に結露受け部４から流下した結露水は大部分集水口５７に回収されるが、一部は第１，第２の差込溝５５，５６上を通して継手５０の一側又は両側から漏れてハウス内に落下する場合がある。そこで、これを防止するため継手５０の本体５１上面にシール材６０，６０をあらかじめ塗布し、継手５０とシート止め材２との間を密封し、結露水が漏れ出るのを防止しているが、このシール材６０の塗布が面倒であり、材料費が嵩み、組付性，経済性が悪い。又解体時や部品の変換時にはこのシール材６０からシート止め材２を剥離させなければならず、その作業も面倒である。
【０００８】
第２に結露現象はシートの内面のみならず、シート止め材２自体の背面にも発生し、シート止め材２の背面に付着した結露がこのシート止め材２の背面を伝わって継手５０に当るとこの位置でハウス内に落下してしまうおそれがあり、これを回収する手段が無い不具合がある。
【０００９】
第３にシート止め材２の端部は集水口５７の入口で止められて結露受け溝４の結露水が集水口５７に収容されるようにしているため、又ガイドレール５２，５３の集水口５７側端部Ｐが切断されているため、集水口５７の上方に段差が発生し、これがエッジとなってシートを損傷させるおそれがある。
【００１０】
第４に集水口５７内には長時間使用中にごみが溜まり、青かびが発生し、場合によっては虫が侵入している場合があり、結露水の流れを悪くしている場合があるが、これらのごみ等を回収する方法が無く、これを除去するには全体を分解しなければならない。
【００１１】
第５に排水ノズル５８は継手本体５１から下方に垂直に設けられており、これにビニールハウスの屋根面に沿って設けた斜め又は水平なホースを接続すると、ホースの接続部が折れ曲がり、使用中にホースが破損し、切断するおそれがある。又排水ノズル５８が下方に向けて垂直であるからホースが重量，振動等で抜けてしまうおそれがある。
【００１２】
そこで、本発明の目的は、シール材を塗布しなくてもシート側又はシート止め材側から流れた結露水を必ず回収でき、段差を発生させてシートの破損が発生するのを防止でき、集水口に溜ったごみ等を外部から簡単に回収でき、ホースのはずれや破損の発生を防止できるビニールハウスにおける結露回収装置を提供することである。
【００１３】
【課題を解決するための手段】
上記の目的を達成するため、本発明の手段は、継手と、継手の両側に嵌合させたシート止め材とからなり、シート止め材はシート止め溝と結露受け部とを有し、継手は本体と、本体の上側に設けたシート止め溝用の第１の差込溝と、同じく結露受け部用の第２の差込溝と、第１，第２の差込溝の途中に下方に向けて設けた集水口と、集水口に接続した排水ノズルとを備えているビニールハウスにおける結露回収装置において、本体の両側と前側とに互いに連通する左右一対の樋溝と前側の樋溝とを設け、両側の樋溝にそれぞれ第１，第２の差込溝を連通させると共に前側の樋溝に集水口を連通させたことを特徴とするものである。
【００１４】
この場合、左右一対の樋溝と前側の樋溝とは本体の両側と前側とに一体に連設した断面Ｌ字状のフレームとで構成され、両側のフレームの上端は第１，第２の差込溝の底面より低く成形されているのが好ましい。
【００１５】
同じく、前側のフレームに前側の樋溝に連通する排水ノズルを水平方向に向けて設け、本体の後側上部に集水口に開口する孔を設けているのが好ましい。
【００１６】
同じく、本体の上面には第１，第２の差込溝を規制するガイドフレームを長手方向に沿って起立し、シート止め材にはガイドフレームに嵌合する溝フレームを形成し、上記ガイドフレームには集水口に対応する位置にストッパを起立させ、このストッパで両側から差込んだシート止め材の嵌合ストロークを規制させているのが好ましい。
【００１７】
同じく、排水ノズルの外周に円周方向に沿うリブを複数形成し、ノズルに差込むホースを環状溝１９を連続して設けた硬質材で成形し、環状溝をリブに嵌合することによりワンタッチでホースをノズルに連結するのが好ましい。
【００１８】
【発明の実施の形態】
以下本発明の実施の形態を図にもとづいて説明する。
【００１９】
本発明に係るビニールシートの結露回収装置Ａは図２に示すように継手１と、継手１の左右両側に嵌合させたシート止め材２，２とからなっている。
【００２０】
シート止め材２，２はシート止め溝３と結露受け部４とを有し、これはジョイント２１を介してビニールハウスのアーチパイプ２２に固定され、シート止め材２のシート止め溝３に定着されたビニール等からなるシートＳがアーチパイプ２２上に展張され、あるいは換気用の巻き取りシートとして使用されている。このようにシートＳを展設した時シートＳのハウス内側内面に多数の結露Ｋが付着し、この結露Ｋがある重さになるとシートＳの内側に沿って流下してシート止め材２２に当り、この時各結露Ｋは結露受け部４内に落ち込み、この結露受け部４を介して矢印で示すように継手１内に流れ込み、更に継手１に接続されたホース２０より樋２３に回収される。
【００２１】
シートＳは換気用に使用する場合、上記したようにシート止め材２に定着され、図２に示すようにシートＳの一端が巻き取り軸２４に巻き付けられて換気用シートとして使用される。尚、シートＳは一般の開口部巾狭の蟻溝フレームに定着され、この蟻溝フレームを継手１に結合し、蟻溝フレームを流れる水を継手１で回転するようにしても良い。
【００２２】
次に、結露回収装置Ａの構成を詳細に説明する。
【００２３】
これは図１に示すように、継手１と、継手１の両側に嵌合させたシート止め材２，２とからなり、シート止め材２はシート止め溝３と結露受け部４とを有している。継手１は本体１０と、本体１０の上側に設けたシート止め溝用の第１の差込溝５と、同じく結露受け部用の第２の差込溝６と、第１，第２の差込溝５，６の途中に前後方向に横断し且つ下方に向けて設けた集水口７と、集水口７に接続した排水ノズル８とを備えている。
【００２４】
更に継手１は図１及び図３乃至図６に示すように、本体１０の左右両側と前側とに互いに連通する左右一対の樋溝９ａ，９ｂと前側の樋溝９ｃとを設け、両側の樋溝９ａ，９ｂにそれぞれ第１，第２の差込溝５，６の両側開口部を直接連通させると共に前側の樋溝９ｃに集水口７を連通させている。
【００２５】
この場合、左右一対の樋溝９ａ，９ｂと前側の樋溝９ｃとは本体１０の両側と前側とに一体に連設した断面Ｌ字状のフレーム１１，１２，１３とで構成され、両側のフレーム１１，１２の上端ａ，ｂは第１，第２の差込溝５，６の底面５ａ，６ａより低く成形されている。
【００２６】
更に前側のフレーム１３にはフローガイド２６を下方に向けて一体に設け、このフローガイド２６の外端には集水口７と前側の樋溝９ｃに連通する排水ノズル８を水平方向に向けて設け、又本体１０の後側上部に集水口７に開口する孔１４を設けている。
【００２７】
更に本体１０の上面には第１，第２の差込溝５，６を区画するように規制するガイドフレーム１５，１６を長手方向に沿って起立している。他方シート止め材２，２にはこのガイドフレーム１５，１６に嵌合するやや逆Ｕ字状の溝フレーム１７，１７を形成している。又上記ガイドフレーム１５，１６には集水口７に対応する位置にストッパ２７を起立させ、このストッパ２７に両側から差込んだシート止め材２，２の端部を当接して当該シート止め材２，２の嵌合ストロークを規制させている。
【００２８】
排水ノズル８にはホース２０を差し込み、このホース２０はアーチパイプ２２に沿って樋２３側又はハウス外に延びている。ホース２０は排出ノズル８に図６，図７に示すように差し込んでも良いが、図８に示すような方法で両者を結合するのが好ましい。即ち、排水ノズル８の外周に円周方向に沿うリブ１８を複数形成し、排水ノズル８に差込むホース２０を環状溝１９を連続して設けた硬質材で成形し、環状溝１９をリブ１８に嵌合することによりワンタッチでホース２０を排水ノズル８に連結するものである。
【００２９】
図６，図７に示すホース２０は先端２０ａが円筒状に形成されており、この先端２０ａを排水ノズル８に差し込んだ時、排水ノズル８の外周リブ８ａのフリクションで抜けなくなり、必要に応じて両者を楔部材を介して締結する。もちろんこのような使用も可能であるが、ホース２０の先端２０ａが破損した場合は再使用が困難となり、新しいホースを交換する必要があるが、この場合は必ず先端が円筒状になったものを交換する必要がある。
【００３０】
ところが、図８に示すようなホース２０の構造であると、先端の構造が規制されていないので、ホース２０自体を任意の位置で切断し、そのまま排水ノズル８側に嵌合すれば良いので、あらかじめ長いホースさえ用意しておけば、新しいホースと交換する場合であってもそのホースを任意に切断して使用できるものである。
【００３１】
次に結露を回収する場合の作用について説明する。
【００３２】
図２で説明したように、シートＳの内面に付着した結露Ｋは結露受け部４を介して継手１方向に水となって流れ、継手１ではこの水は集水口７に流れ込み、更に排水ノズル８とホース２０を介して外部に排出される。この際集水口７に流れずに、一部の水がシート止め材２，２の下面と継手１の本体１０の上面との間の隙間を介して漏れ出ることがあるが、この漏れた水は左右の樋溝９ａ，９ｂに回収され、更に前側の樋溝９ｃを介してホース２０側に排出されるので、継手１の両サイドから水がハウス内に落下するのが防止できる。
【００３３】
更に結露はシートＳの内面のみならずシート止め材２自体の底面にも付着し、これが継手１側に結露水として流れる場合がある。しかしこの場合であっても、図４に示すように、左右の樋溝９ａ．９ｂを規制する両側のフレーム１１，１２の上面ａ，ｂは本体１０の上面より底いので、このフレーム１１，１２とシート止め材２，２との間には隙間ができ、シート止め材２の下面を流下する結露水はフレーム１１，１２に干渉されず、隙間を介して本体１０まで流れ、本体１０に当った時落下して樋溝９ａ，９ｂ内に回収される。この為、シート止め材２から結露水がぽたぽたとハウス内に落下するのが防止される。
【００３４】
集水口７に連通する孔１４は本体の上方に位置するから、この孔１４より水が流出することは無い。この孔１４は集水口７にごみ，かびが溜ったり，虫が侵入したような場合に外部から棒や治具を差し込んで、これらのごみ等を除去するものである。
【００３５】
ストッパ２７はシート止め材２の嵌合ストロークを規制するものであるが、これが集水口７の上方に位置し、両側のシート止め材２，２における溝フレーム１７，１７の高さレベルを均一にして水平にするから、シートＳがガイドフレーム１５，１６のエッジに引掛けられて破損するのが防止できる。
【００３６】
【発明の効果】
本発明によれば、次の効果がある。
【００３７】
（１）  各請求項の発明によれば、継手は本体の両側と前側互いに連通する左右一対の樋溝と前側の樋溝を設け、これらの樋溝を第１，第２の差込溝に連通させているから、集水口に回収されない一部の結露水が漏れてもこれらの結露水は左右の樋溝に回収され、外部に排出できる。この為、従来のように結露水の漏れを防止するシールを設ける必要が無く、継手に対するシート止め材の組付性が向上し、部分の交換も容易となる。
【００３８】
（２）  請求項２の発明によれば、左右の樋溝を構成する両側のフレームの上端が第１，第２の差込溝の底面より低く成形されているので、シート止め材を継手に装着した時このシート止め材の下面と上記フレームの上面との間には左右の樋溝に開口する隙間が形成される。その結果シート止め材の下面に付着した結露水が流下した時この結露水は左右の樋溝に回収され、シート止め材の下面からハウス内に結露水がぽたぽたと落下するのを防止できる。
【００３９】
（３）  請求項３の発明によれば、排水ノズルが水平方向に向けて設けられているので、このノズルに接続されるホースがアーチパイプや屋根面に沿って水平に配置された時、ノズルとホースが同一直線上に延び、ノズルに対するホースの端部が屈曲せず、ホースの破損を防止できる。
【００４０】
（４）  請求項４の発明によれば、ガイドフレームにストッパを起立しているので両側のシート止め材における溝フレームの端部をこのストッパに当接することでシート止め材の嵌合ストロークを規制し、且つストッパとシート止め材側の溝フレームとの高さレベルを同一にして水平に出来る。この為、ガイドフレームや溝フレームの端部が集水口上に露出せず、シートが引掛けられず、このシートの損傷，破損を防止できる。
【００４１】
（５）  請求項５の発明によれば、排水ノズルのリブにホース側の環状溝が嵌合するため、ノズルに対してホースをワンタッチで結合できる。しかも、ホースは任意の位置で切断してもその端部近傍には必ず環状溝が形成されており、常にホースを排水ノズルに接続でき、ホースが破損して交換する場合があっても、例えば円筒状の接続口を備えた単一ホースを使用する必要が無く、長いホースをあらかじめ用意しておくだけで交換に対応できる。
【図面の簡単な説明】
【図１】本発明に係る結露回収装置の一部切欠き分解斜視図である。
【図２】図１の結露回収装置をビニールハウスに取付けた状態の斜視図である。
【図３】図１の継手の拡大斜視図である。
【図４】図１のＸ−Ｘ線縦断拡大正面図である。
【図５】図１のＹ−Ｙ線縦断拡大正面図である。
【図６】図１の中央縦断拡大側面図である。
【図７】図１の排水ノズル部の縦断拡大側面図である。
【図８】他の実施の形態に係る排水ノズルとホースの接続構造の縦断拡大側面図である。
【図９】従来の結露回収装置の一部切欠き分解斜視図である。
【符号の説明】
１  継手
２，２  シート止め材
３  シート止め溝
４  結露受け部
５  第１の差込溝
５ａ，６ａ  底面
６  第２の差込溝
７  集水口
８  排水ノズル
９ａ，９ｂ，９ｃ  樋溝
１０  本体
１１，１２，１３  フレーム
１４  孔
１５，１６  ガイドフレーム
１７，１７  溝フレーム
１８  リブ
１９  環状溝
２０  ホース
２７  ストッパ
【図１】
0003591582.tif 000002
【図２】
0003591582.tif 000003
【図３】
0003591582.tif 000004
【図４】
0003591582.tif 000005
【図５】
0003591582.tif 000006
【図６】
0003591582.tif 000007
【図７】
0003591582.tif 000008
【図８】
0003591582.tif 000009
【図９】
0003591582.tif 000010